(57)【要約】      （修正有）【課題】商品補充の際、価格表示具を所定の角度を超えてはね上げた場合、一時的なはね上げ状態を維持できるフックハンガー用アダプターを提供する。【解決手段】上方バー部材の先端に装着されるアダプター１０であって、表面の価格表示手段支持部３１と裏面の後方係合部３２を備える価格表示具３と、上方バー部材の先端に装着される左右一対の係合突起１２を有する先端係合部材１と、価格表示具３の後方係合部３２に係合する第１係合部２１と先端係合部材１の一対の係合突起１２と係合する第２係合部２２を有する中間部材２とからなり、中間部材２の第２係合部２２は、左右一対の上腕部２２１と、内周部に２つ凹部で形成される山部を形成した左右一対の下腕部２２２とからなり、左右一対の係合突起１２は略円形断面の短軸部材の下方前方部に前方斜め下方向に延びる突状部１２１を有すると共に、上腕部と下腕部の内側に挟持される。【選択図】図１
0003137183.tif 000002
【実用新案登録請求の範囲】
【請求項１】
商品を吊り下げる下方バー部材の上方に位置する上方バー部材の先端に取り付けられるアダプターであって、
価格表示手段を取り付ける価格表示手段支持部と該価格表示手段支持部の裏面に形成される後方係合部を備える価格表示具と、
該上方バー部材の先端に着脱自在に取り付けられる左右一対の係合突起を有する先端係合部材と、
該価格表示具の該後方係合部に係合する第１係合部と該先端係合部材の一対の係合突起と係合する該第２係合部を有する中間部材とからなり、
該中間部材の該第２係合部は、左右一対の上腕部と、内周部に２つ凹部で形成される山部を形成した左右一対の下腕部とからなり、
該先端部材の左右一対の係合突起は略円形断面の短軸部材の下方前方部に前方斜め下方向に延びる突状部を有すると共に、前記上腕部と下腕部の内側に挟持されることを特徴とするダブルフックハンガー用アダプター。
【請求項２】
該中間部材の第１係合部は、矩形状の板状体であることを特徴とする請求項１記載のダブルフックハンガー用アダプター。
【請求項３】
該先端係合部材は該価格表示具の表示面が鉛直姿勢における該中間部材の背面に当接する鉛直状の前面と、該価格表示具の表示面が上向き水平姿勢における該中間部材の背面に当接する天面を有し、該係合突起の中心から該先端係合部材の前面までの寸法と該係合突起の中心から天面までの寸法が略同じであり、該前面と該天面の接続部は当該寸法を半径とするアール状であることを特徴とする請求項１又は２記載のダブルフックハンガー用アダプター。
【請求項４】
該価格表示具の表示面が鉛直姿勢における一対の係合突起の突状部の位置は下腕部の山部より前方側にあることを特徴とする請求項１〜３のいずれか１項に記載のダブルフックハンガー用アダプター。
【請求項５】
該価格表示具の表示面が鉛直状態から表示面が斜め上方を向く方向に回転する際、一対の係合突起の突状部が下腕部の山部を越えない範囲で該価格表示具が回転する領域では、外力が作用しない自然状態において該価格表示具が自重により元の陳列姿勢に戻ることを特徴とする請求項４に記載のダブルフックハンガー用アダプター。
【請求項６】
該価格表示具の表示面が鉛直状態から表示面が斜め上方を向く方向に回転する際、一対の係合突起の突状部が下腕部の山部を越えて該価格表示具が回転すると、該価格表示具の表示面が上方を向いた位置で先端係合部材の天面に支持されることを特徴とする請求項４に記載のダブルフックハンガー用アダプター。
【請求項７】
該一対の係合突起の突状部の先端と下腕部の山部の先端との当接位置は鉛直軸に対して前方側の５０°±５°の位置であることを特徴とする請求項１〜６のいずれか１項に記載のダブルフックハンガー用アダプター。
【請求項８】
該価格表示具が電子棚札であることを特徴とする請求項１〜７のいずれか１項に記載のダブルフックハンガー用アダプター。
【請求項９】
請求項１〜８のダブルフックハンガー用アダプターを装着してなるダブルフックハンガー。
【考案の詳細な説明】
【技術分野】
【０００１】
本考案はスーパーなどにおいて吊り下げ商品を補充時の作業がし易いダブルフックハンガー用アダプター及びこれを装着したダブルフックハンガーに関するものである。
【背景技術】
【０００２】
従来、スーパーなどの量販店やコンビニでは、吊り下げ商品を陳列する際、商品を吊り下げる下方バー部材の上方に位置する上方バー部材の先端に価格表示具を取り付けたダブルフックハンガーが使用されている。
【０００３】
ダブルフックハンガーの下方のバー部材に吊り下げられる陳列商品は、定期又は不定期に商品の補充がされる。この商品補充の際、上方バー部材の先端に取り付けられた価格表示具が作業の邪魔になることがある。また、商品補充の際、誤って価格表示具を損傷させることもある。
【０００４】
このような問題を解決するものとして実開平７−８８７３号公報には、上方のバー部材先端に着脱自在で且つ前後に移動自在のアダプター取付部材と、価格表示板と、該アダプター取付部材と該価格表示板とを接続する連結片との３部材からなり、該アダプター取付部材の連結片係止軸の下方には連結片が一時的に係止される隆状突起が設けられるとともに、連結片には前記アダプター取付部材の隆状突起に、その弾性により一時的に係脱される係止片が設けられたフックハンガー用アダプターが開示されている。
【０００５】
このフックハンガー用アダプターであれば、商品の吊り下げ作業を行う場合、価格表示板をはね上げ状態のまま一時的に固定することができる。
【考案の開示】
【考案が解決しようとする課題】
【０００６】
しかしながら、実開平７−８８７３号公報記載のフックハンガー用アダプターは、隆状突起の先端と板状係止片の当たり具合に慎重な設計が要求される。隆状突起の先端と板状係止片の当たりが強すぎると、価格表示板をはね上げる際、使い勝手が悪くなり、隆状突起の先端と板状係止片の当たりが弱すぎると経時変化により、両部材の磨耗や構成部品の緩みにより、価格表示板をはね上げた後の係止ができなくなることがある。
【０００７】
従って、本考案の目的は、隆状突起の先端を板状係止片が乗り越えるような構造以外の構造により、商品の抜き取りの際は価格表示板が抜き取りに障害とならない所定の角度まではね上った後は元の形状に戻り、所定の角度を超えてはね上げた場合、一時的なはね上げ状態を維持できるフックハンガー用アダプター及びこれを装着したフックハンガーを提供することにある。
【０００８】
すなわち、本考案は、商品を吊り下げる下方バー部材の上方に位置する上方バー部材の先端に取り付けられるアダプターであって、価格表示手段を取り付ける価格表示手段支持部と該価格表示手段支持部の裏面に形成される後方係合部を備える価格表示具と、該上方バー部材の先端に着脱自在に取り付けられる左右一対の係合突起を有する先端係合部材と、該価格表示具の該後方係合部に係合する第１係合部と該先端係合部材の一対の係合突起と係合する該第２係合部を有する中間部材とからなり、該中間部材の該第２係合部は、左右一対の上腕部と、内周部に２つ凹部で形成される山部を形成した左右一対の下腕部とからなり、該先端部材の左右一対の係合突起は略円形断面の短軸部材の下方前方部に前方斜め下方向に延びる突状部を有すると共に、前記上腕部と下腕部の内側に該両腕部のバネ付勢により挟持されることを特徴とするダブルフックハンガー用アダプターを提供するものである。
【０００９】
また、本考案は、前記ダブルフックハンガー用アダプターを装着してなるダブルフックハンガーを提供するものである。
【考案の効果】
【００１０】
本考案によれば、特定形状の先端係合部材に特定形状の左右一対の係合突起を形成し、中間部材に特定形状の第２係合部を形成し、両者を係合させる構造としたため、商品の抜き取りの際は抜き取り方向への作用力により価格表示具が抜き取りに障害とならない角度まで回動でき商品の抜き取りの障害とはならない。また、当該作用力が除かれると、回動していた価格表示具は元の形状に戻る。一方、商品補充の際、価格表示具を所定の角度を超えてはね上げた場合、一時的なはね上げ状態を維持できる。このため、商品の補充作業が容易となる。
【考案を実施するための最良の形態】
【００１１】
本考案の実施の形態におけるダブルフックハンガー用アダプター（以下、単に「アダプター」とも言う。）を図１〜図５を参照して説明する。図１は本例のアダプターを後方から見た分解斜視図、図２は本例のアダプターを前方から見た分解斜視図、図３は先端係合部材の一部の右側面図、図４は先端係合の一部の正面図、図５は中間部材の右（図１では左）の腕部を左側（図１では右側）から見た図である。本明細書において「前」は商品を取り出す顧客側を言い、「上」、「下」はアダプターを設置し、価格表示具の表示面が鉛直姿勢を採る状態における位置を言う。
【００１２】
本例のアダプター１０は、先端係合部材１、中間部材２及び価格表示具３からなり、これらの組み付け体である。価格表示具３は価格表示手段Ｘ（図１及び図２では不図示）を取り付ける価格表示手段支持部３１と価格表示手段支持部３１の裏面に形成される後方係合部３２を備える。価格表示手段支持部３１は略矩形状の板状体である本体部３９の表側に形成されるものであって、本例では電子棚札（価格表示手段Ｘ）を支持する構造となっている。すなわち、価格表示手段支持部３１は本体部３９の上端から前方へ延びる所定幅を有する庇状の上板３５、本体部３９の下端から前方へ延びる所定幅を有する下板３６、上板３５の先端部分に付設される上部係合片３８１、下板３６の先端部分に付設される下部係合片３８２を備え、電子棚札を着脱自在に支持する。なお、本体部３９に形成される４つの長孔は価格表示具３の裏面に形成される４つの係合片を金型成形するための成形用孔である。また、本体部３９の表側に形成された凹状の矢印形状は上下方向を示す表示である。なお、符号３８で示される左右方向に延びる長孔は本考案とは直接関係のない他のアクセサリーの係合溝である。
【００１３】
価格表示具３の後方係合部３２は中間部材２を取り付ける部分である。後方係合部３２は矩形状の板状体を支持する構造であり、下方を除く横コ字形状の枠体３３と、枠体３３の下方に位置し上下方向に延出するバネ弾性を有する板状の係合片３４からなる。板状の係合片３４の先端は、後方へ僅かに突出する係止片３４１を有し、中間部材２の下方支持を確実なものとしている。枠体３３の左右の枠体部はそれぞれ２つの係合片３３１を上下方向に僅かに離間して設けることより矩形状の板状体が安定して嵌る溝を形成している。板状の係合片３４はその先端の係止片３４１に後方から前方へ外力を与えれば前方へ引っ込み、外力を除けば元に戻るようになっている。
【００１４】
先端係合部材１は上方バー部材の先端に着脱自在に取り付けられるものである。先端係合部材１は上方バー部材の本体バーに係合する水平基部１５と、水平基部１５から前方へ上り傾斜の傾斜状部１６と、傾斜状部１６の先端部に位置する先高部１７からなる中が空洞の略スキージャンプ台形状のものであり、先高部１７の上方で且つ左右側面に一対の係合突起１２を有するものである。
【００１５】
水平基部１５には上方バー部材９０の本体バーが嵌り易いように下方の開口１１２を広げた嵌合溝１１１がその内側に形成され、傾斜状部１６には傾斜状天面を上下方向に貫通する上方バー部材９０の先端部材である長鉛直部材ｂが通る第１貫通穴１４が形成され（図１５参照）、先高部１７には天面を上下方向に貫通する上方バー部材９０の先端部材である短鉛直部材ａが通る第２貫通穴１３が形成されている（図１４参照）。先端部材１は傾斜状部１１２と第２貫通穴１３により、上方バー部材９０の先端部材である斜め上方に屈曲した屈曲部材ｃが嵌るようにもなっている（図１６参照）。
【００１６】
左右一対の係合突起１２は、略円形断面の短軸部材１２３の下方前方部に前方斜め下方向に延びる突状部１２１を有するものである。突状部１２１は先端が尖りの丸み形状とし、下腕部の山部と係合する際、小さい外力では山部を越えられないようにし、一定以上の外力により円滑に山部を越えるようにしたものである。なお、略円形断面の短軸部材１２３の中心から突状部１２１の先端を結んだ線と鉛直線のなす角度は概ね３０°である。また、係合突起１２において突状部１２１を含む下方部分１２２は上方部分より突出して下腕部との係合を確実なものとしている。
【００１７】
先端係合部材１は価格表示具３の表示面が鉛直姿勢における中間部材２の背面に当接する鉛直状の前面１９１と、価格表示具３の表示面が上向き水平姿勢における中間部材２の背面に当接する天面１９２を有し、係合突起１２の中心ｏから先端係合部材１の前面１９１までの寸法Ｒと係合突起の中心ｏから天面１９２までの寸法Ｒが略同じであり、前面１９１と天面１９２の接続部は同じ寸法Ｒを半径とするアール状１９３である。先端係合部材１がこのような形状寸法を有することで、価格表示具の表示面が鉛直状となる陳列姿勢及び価格表示具をはね上げた状態の支持姿勢が共に安定し、また両者の陳列姿勢への変化を円滑なものとする。前面１９１は鉛直面であることが望ましい。天面１９２は必ずしも水平面である必要はなく、丸みを帯びた面であってもよい。その理由は、一旦はね上げられた価格表示具３は係合突起１２の突状部１２１が元に戻ろうとする回転の障害となり、ある一定の外力を与えないかぎり元に戻らないからである。
【００１８】
中間部材２は価格表示具３と先端係合部材１を連結するものである。すなわち、中間部材２は価格表示具３の後方係合部３２に係合する第１係合部２１と先端係合部材１の一対の係合突起１２と係合する第２係合部２２を有する。第１係合部２１は本例では矩形状の板状体である。矩形状の板状体２１は価格表示具３の枠体に嵌合する大きさと形状を有する。
【００１９】
中間部材２の第２係合部は左右一対の上腕部２２１と、内周部に２つ凹部２２４、２２５で形成される山部２２３を形成した左右一対の下腕部２２２とからなる。上腕部２２１と下腕部２２２は上下方向及び左右方向共にバネ弾性を有する。すなわち、両腕部となる上腕部２２１の先端と下腕部２２２の先端の隙間が開く方向に外力が作用すると両腕部はバネ弾性により挟持力が発生する。また、左腕部と右腕部の先端が左右で開く方向に外力が作用すると左腕部と右腕部はバネ弾性により挟持力が発生する。
【００２０】
中間部材２において、矩形状の板状体２１から延びる下腕部２２２の内側には、回動方向に見て、内周部に２つ凹部２２４、２２５で形成される山部２２３が形成されている。なお、山部２２３は図５に示すように、矩形状の板状体２１が鉛直姿勢を採る方向で見た場合、段差の角であり、当該段差の角の後方（図５の左方向）には、突状部１２１が収まる切り欠き状の凹部２２５が形成されている。この中間部材２の下腕部２２２の内側形状と先端係合部材１の係合突起１２の係合関係により、後述する価格表示具３は特有の動きが可能となる。
【００２１】
本例のアダプター１０を構成する先端係合部材１、中間部材２及び価格表示具３は例えば次ぎのように組み付けられダブルフックハンガーに装着される。先ず、価格表示具３の後方係合部３２に中間部材２を取り付ける。すなわち、中間部材２の矩形状の板状体２１の上端部を価格表示具３の枠体３３の下方の開口から挿入する。この挿入は価格表示具３の板状の係合片３４の係止片３４１を中間部材２で押し込みながら行なう。中間部材２が枠体３３の上端に当接すると板状の係合片３４の係止片３４１は中間部材２の下端に突出して中間部材２を支持する。
【００２２】
次いで先端係合部材１の一対の係合突起１２を中間部材２の両腕部の上腕部２２１と下腕部２２２の先端隙間から入れ、先端係合部材１の前面１９１が中間部材２の背面に当接するまで押し込む。なお、両腕部２２１、２２２の先端部には係合突起１２の直径と同じ幅寸法の凹溝が形成され、一対の係合突起１２を挿入し易いようにしている。先端係合部材１の前面１９１は先高部１７の高さと所定の幅寸法を有するため、先端係合部材１の前面１９１と中間部材２の背面の接触面積は大きい。また、この状態において、下腕部２２２の山部２２３と一対の係合突起１２の下方部分１２２の下端１２８が当接しており、一対の係合突起１２の突状部１２１の位置は下腕部２２２の山部２２３より前方側にある。すなわち、この状態は一対の係合突起１２が両腕部に挟持された状態である。このため、図６に示すように、価格表示具３の表示面が鉛直面となる陳列姿勢において、先端係合材１は中間部材２に対して前後方向にずれることも抜けることもなく、価格表示具３の表示面が下方を向くような回転も規制されるため、当該陳列姿勢が安定する。
【００２３】
なお、価格表示具３への電子棚札の設置及び上方バー部材９０への先端係合部材１の設置はいずれの段階で行なってもよい。また、上記組み付け方法に限定されず、先端係合部材１と中間部材２とを組み付けた後、中間部材２の第１係合部を価格表示具３に取り付けてもよい。
【００２４】
本例のアダプターが適用されるダブルフックハンガーとしては、スーパーなどの量販店やコンビニにおいて、吊り下げ商品を陳列する際に使用されるものであって、商品を吊り下げる下方バー部材と、該下方バー部材の上方に位置する上方バー部材の先端に価格表示具を取り付けたハンガーが挙げられる。本例のアダプターはダブルフックハンガーの上方バー部材の先端に付設されるものである。
【００２５】
ダブルフックハンガーの先端形状としては、種々のものがあるが、一般には前後方向に水平に延びる本体バーの先端が上方に屈曲したものが使用されており、鉛直に折れ曲がった鉛直部材が短い短鉛直部材のもの（図１４参照）、鉛直に折れ曲がった鉛直部材が該短鉛直部材のものより長い長鉛直部材のもの（図１５参照）及び屈曲部材が斜め上方に屈曲したもの（図１６参照）が挙げられる。本例のアダプターはこれら３種類の全てのダブルフックハンガーに適用可能である。
【００２６】
このようにダブルフックハンガーに装着されたアダプターは図７に示すように電子棚札Ｘの表示面及び中間部材の矩形状の板状体２１の表面は鉛直状態にある。図７の陳列姿勢から陳列された商品が抜き取られる際、アダプター１０は次ぎのように作用する。すなわち、この状態から下方バー部材に吊り下げられた商品が前方方向へ抜き取られる。商品が抜き取られる際、商品又は人の手が価格表示具３の裏面に当たる（図９参照）。これにより、価格表示具３は先端係合部材１の一対の係合突起１２を中心として表示面が斜め上となる方向に作用力を受ける。この際、中間部材２の背面に当接する先端係合部材１の前面１９１から天面１９２に至る形状がアール面であること、一対の係合突起１２の突状部１２１の当該作用力による回転方向には所定角度、本例では４８°までは回転に障害となるものがないことの理由により回転は円滑である（図８参照）。すなわち、図８に示すように、価格表示具３の下端部が上方バー部材９０より上方位置にあるため、下方バー部材に吊り下げられた商品を抜出す際の障害となるものはない。このため、商品の円滑な抜き取りが可能となる。
【００２７】
図８の状態から商品の抜き取りが完了し外力が除かれると、価格表示具３は自重により先端係合部材１の一対の係合突起１２を中心として元の姿勢に戻る方向に回転する。そして、その回転は中間部材２の背面と先端係合部材１の前面１９１との当接により終了するため、価格表示具３の表示面は鉛直状となって元の陳列姿勢に戻る。
【００２８】
すなわち、価格表示具３の表示面が鉛直状態から表示面が斜め上方を向く方向に回転する際、一対の係合突起の突状部１２１が下腕部２２２の山部２２３を越えない範囲で価格表示具３が回転する領域では、外力が作用しない自然状態において価格表示具３が自重により元の陳列姿勢に戻る。
【００２９】
次ぎに、図７の陳列姿勢から商品の補充作業を行う場合を説明する。所定の数の商品を補充する際、やはり価格表示具３が補充の障害となる。そこで、価格表示具３を先端係合部材１の一対の係合突起１２を中心として表示面が斜め上となる方向に回転させる。価格表示具３は図８に示す位置まで回転すると、一対の係合突起１２の突状部１２１と下腕部２２２の山部２２３が近接し突状部１２１の山と山部２２３の山がぶつかる。この山と山の干渉力以上の回転力を価格表示具３に与えると、遂にはその先端同士が当接する（図１０及び図１１参照）。突状部１２１の山と山部２２３の山との当接位置は鉛直軸に対して前方側の５０±５°の位置にある。
【００３０】
図１１に示すように、価格表示具３を更に矢印Ｙの方向に回転させると、一対の係合突起１２の突状部１２１は下腕部２２２の先端の凹部２２５に入り込む。この状態においては、先端係合部材１の天面１９２が中間部材２の背面と当接し、価格表示具３の表示面は鉛直面と９０度の角度で且つ表示面が上を向いた状態となる。価格表示具３の自重は先端係合部材１の天面１９２で支えられるため、価格表示具３はこの状態で固定された状態となる。従って、商品の補充作業の際、価格表示具３がその障害となることがない（図１３）。
【００３１】
すなわち、価格表示具３の表示面が鉛直状態から表示面が斜め上方を向く方向に回転する際、一対の係合突起１２の突状部１２１が下腕部２２２の山部２２３を越えて価格表示具３が回転すると、価格表示具３の表示面が上方を向いた位置で先端係合部材１の天面１９２に支持される。
【００３２】
図１２及び図１３の状態から価格表示具３を元に戻すには、価格表示具３を上記の回転方向とは逆の方向に回転させる。図１１に示すような位置、すなわち、一対の係合突起１２の突状部１２１と下腕部２２２の山部２２３が当接する位置で更に矢印Ｚ方向に作用力を与えれば、価格表示具３は表示面が鉛直面となる陳列姿勢に戻る。
【００３３】
本例のアダプター１０は種々の変形例を採ることができる。例えば価格表示手段は電子棚札以外に従来のカードケース状物であってもよい。この場合、価格表示具の価格表示手段支持部もカードケース状物を支持する形状のものとなる。
【００３４】
また、先端係合部材は２つの貫通孔は１つでもよく、無くてもよい。すなわち、特定の上方バー部材に特化されたものであってもよい。また、中間部材２の第１係合部の形状及びこれと係合する価格表示具の後方係合部は適宜設計変更されたものでもよい。
【産業上の利用可能性】
【００３５】
本例のアダプター及びこれを装着したダブルフックハンガーは、商品の抜き取りの際は抜き取り方向への作用力により価格表示具が抜き取りに障害とならない角度まで回動でき商品の抜き取りの障害とはならない。また、当該作用力が除かれると、回動していた価格表示具は元の形状に戻る。一方、商品補充の際、価格表示具を所定の角度を超えてはね上げた場合、一時的なはね上げ状態を維持できる。このため、商品の補充作業が容易となる。また、アダプター構造が簡易であるため摩滅がほとんどなく、長期間に亘り安定して使用できる。また、既存のダブルフックハンガーに装着して使用できるため、スーパーなどの量販店においてコストを上昇させることなく、作業効率の向上が望め、好適に使用できる。
【図面の簡単な説明】
【００３６】
【図１】本例のアダプターを後方から見た分解斜視図である。
【図２】本例のアダプターの前方から見た分解斜視図である。
【図３】先端係合部材の一部の右側面図である。
【図４】先端係合の一部の正面図である。
【図５】中間部材の右の両腕部を左側から見た図である。
【図６】本例のアダプターを後方から見た斜視図である。
【図７】本例のアダプター装着ダブルフックハンガーの一部の右側面図である。
【図８】図７の状態から価格表示具を所定角度回転させた一部の右側面図である。
【図９】商品取り出し状態におけるアダプター装着ダブルフックハンガーの右側面図である。
【図１０】図８の状態から価格表示具を更に回転させた一部の右側面図である。
【図１１】中間部材の両腕部と一対の係合突起の係合状態を示す図である。
【図１２】商品補充時の価格表示具が先端係合部材の天面に固定された図である。
【図１３】商品補充時のアダプター装着ダブルフックハンガーを示す図である。
【図１４】先端部材が短鉛直部材の上方バー部材と先端係合部材との係合関係を示す図である。
【図１５】先端部材が長鉛直部材の上方バー部材と先端係合部材との係合関係を示す図である。
【図１６】先端部材が屈曲材の上方バー部材と先端係合部材との係合関係を示す図である。
【符号の説明】
【００３７】
１    先端係合部材
２    中間部材
３    価格表示具
１０    アダプター
１２    一対の係合突起
２１    第１係合部（矩形状の板状体）
２２    第２係合部（両腕部）
３１    価格表示手段支持部
３２    後方係合部
９０    上方バー部材
１２１    突状部
２２２    下腕部
２２３    山部
２２４、２２５  凹部
Ｘ      価格表示手段（電子棚札）
【図１】
0003137183.tif 000003
【図２】
0003137183.tif 000004
【図３】
0003137183.tif 000005
【図４】
0003137183.tif 000006
【図５】
0003137183.tif 000007
【図６】
0003137183.tif 000008
【図７】
0003137183.tif 000009
【図８】
0003137183.tif 000010
【図９】
0003137183.tif 000011
【図１０】
0003137183.tif 000012
【図１１】
0003137183.tif 000013
【図１２】
0003137183.tif 000014
【図１３】
0003137183.tif 000015
【図１４】
0003137183.tif 000016
【図１５】
0003137183.tif 000017
【図１６】
0003137183.tif 000018